(57)【要約】【課題】  福島第一原発事故による住民への放射線影響を長期間にわたって正確に調査していく上で有用となるシステムを提供する。【解決手段】  被曝放射線量情報管理システム１００は、被曝放射線量評価対象者２００の所持する個人線量計２０２から、原発事故被曝放射線量情報、職業的被曝放射線量情報及び医療被曝放射線量情報を取得し、取得した原発事故被曝放射線量情報、職業的被曝放射線量情報及び医療被曝放射線量情報を個人識別情報と対応づけて記憶部１０２に記録する。これにより、個人の放射線被曝の時間的推移をその要因別に継続的に記録し、被爆管理の目的に応じて円滑に放射線量の評価を実施することができる。【選択図】  図１
2018037120.tif 000002
【特許請求の範囲】
【請求項１】
被曝放射線量評価対象者の被曝放射線量情報を記録する被曝放射線量情報管理システムであって、
記憶手段と、
原子力発電所の事故に起因して被曝した被曝放射線量を示す原発事故被曝放射線量情報、職業的放射線被曝による被曝放射線量を示す職業的被曝放射線量情報及び医療被曝による被曝放射線量を示す医療被曝放射線量情報を対応づけて前記記憶手段に記録する被曝放射線量情報記録手段とを備えることを特徴とする被曝放射線量情報管理システム。
【請求項２】
請求項１において、
前記被曝放射線量評価対象者の同定が、当人の所持する識別カード又は割り当てられた識別情報によってなされることを特徴とする被曝放射線量情報管理システム。
【請求項３】
請求項１及び２のいずれか１項において、
前記医療被曝放射線量情報の提供者に対し、前記被曝放射線量評価対象者、国又は被曝放射線量情報管理システムの運用者から一定の報償が付与されることを特徴とする被曝放射線量情報管理システム。
【請求項４】
請求項１乃至３のいずれか１項において、
前記原発事故被曝放射線量情報、前記職業的被曝放射線量情報及び前記医療被曝放射線量情報のそれぞれについて被爆管理基準値を設定し、前記記憶手段に記録された被曝放射線量情報を書き換える際又は前記記憶手段に前記被曝放射線量情報を記録する際に、当該書き換え又は記録する被曝放射線量情報の被曝放射線量と、これに対応する前記被爆管理基準値を照合し、その照合結果を表示、発信又は記録することを特徴とする被曝放射線量情報管理システム。
【請求項５】
請求項１乃至４のいずれか１項において、
前記記憶手段に記録された被曝放射線量情報に基づいて被曝放射線量の累計値又は総被曝放射線量が所定以上となったと判定したときは、所定の通知を行うことを特徴とする被曝放射線量情報管理システム。
【請求項６】
請求項１乃至５のいずれか１項において、
他のデータベースと前記被曝放射線量情報を共有又は授受することを特徴とする被曝放射線量情報管理システム。
【発明の詳細な説明】
【技術分野】
【０００１】
本発明は、放射性物質による環境汚染（以下、「放射能汚染」という。）の可能性のある地域又は施設に居住又は滞在した者を含み、人がその生活行動において被曝したであろう放射線の線量の蓄積推移の把握を希望する者（以下、「被曝放射線量評価対象者」という。）に対して個人被爆放射線量を総合的に管理・監視するための被曝放射線量情報管理システムに関する。
【背景技術】
【０００２】
２０１１年の福島第一原発の事故に起因して福島県を中心に、広範囲に放射性汚染及び環境の空間線量率の上昇が生じている。環境汚染のレベルは地域によって異なるが、汚染レベルと人体への影響を調査・探究するためには、住民の健康状態を長期間にわたって観察していく必要があると国は認識している。
【０００３】
しかし、国民は国のいう追加線量（福島第一原発事故起因の放射性物質による被曝放射線量）以外に医療用放射線や福島第一原発事故起因外の環境放射線にも身体を曝して生活している。上記事故に起因する放射線被曝の影響を検討する際には要因別の線量評価を行う必要がある。
【０００４】
特許文献１には、複数の医療関連施設に各々設置されている複数の施設処理装置と、この施設処理装置に双方向通信ネットワークを介して医療情報を提供し又は取得するシステムが記載されている。
【先行技術文献】
【特許文献】
【０００５】
【特許文献１】特開２００５−４７９０号公報
【発明の概要】
【発明が解決しようとする課題】
【０００６】
しかし、前記従来のシステムは、医療情報を提供し又は取得するシステムではあるが、放射線の影響を長期間にわたって正確に調査していくためのネットワークを構築するものではなかった。また、被曝放射線量の評価は個人にとって、またときとして社会にとって極めて重大な情報であり、それに関わる情報の収集と管理を適切に行うことは、個人にとっても社会・国家にとっても極めて重要である。
【０００７】
本発明は、前記課題に対処するために案出されたものであり、特に福島第一原発事故による住民への放射線影響を長期間にわたって正確に調査していく上で有用となるシステムの提供を目的とする。また、職業的放射線被曝や環境保全の不備により公衆の構成員が受ける放射線被曝に伴うリスク補償又はリスク顕在化に対する補償の妥当性を判断する上で有用となることを目的とする。
【課題を解決するための手段】
【０００８】
〔発明１〕  上記目的を達成するために、発明１の被曝放射線量情報管理システムは、被曝放射線量評価対象者の被曝放射線量情報を記録する被曝放射線量情報管理システムであって、記憶手段と、原子力発電所の事故に起因して被曝した被曝放射線量を示す原発事故被曝放射線量情報、職業的放射線被曝による被曝放射線量を示す職業的被曝放射線量情報及び医療被曝による被曝放射線量を示す医療被曝放射線量情報を対応づけて前記記憶手段に記録する被曝放射線量情報記録手段とを備える。
【０００９】
〔発明２〕  さらに、発明２の被曝放射線量情報管理システムは、発明１の被曝放射線量情報管理システムにおいて、前記被曝放射線量評価対象者の同定が、当人の所持する識別カード又は割り当てられた識別情報によってなされる。
【００１０】
〔発明３〕  さらに、発明３の被曝放射線量情報管理システムは、発明１及び２のいずれか１の被曝放射線量情報管理システムにおいて、前記医療被曝放射線量情報の提供者に対し、前記被曝放射線量評価対象者、国又は被曝放射線量情報管理システムの運用者から一定の報償が付与される。
【００１１】
〔発明４〕  さらに、発明４の被曝放射線量情報管理システムは、発明１乃至３のいずれか１の被曝放射線量情報管理システムにおいて、前記原発事故被曝放射線量情報、前記職業的被曝放射線量情報及び前記医療被曝放射線量情報のそれぞれについて被爆管理基準値を設定し、前記記憶手段に記録された被曝放射線量情報を書き換える際又は前記記憶手段に前記被曝放射線量情報を記録する際に、当該書き換え又は記録する被曝放射線量情報の被曝放射線量と、これに対応する前記被爆管理基準値を照合し、その照合結果を表示、発信又は記録する。
【００１２】
〔発明５〕  さらに、発明５の被曝放射線量情報管理システムは、発明１乃至４のいずれか１の被曝放射線量情報管理システムにおいて、前記記憶手段に記録された被曝放射線量情報に基づいて被曝放射線量の累計値又は総被曝放射線量が所定以上となったと判定したときは、所定の通知を行う。
【００１３】
〔発明６〕  さらに、発明６の被曝放射線量情報管理システムは、発明１乃至５のいずれか１の被曝放射線量情報管理システムにおいて、他のデータベースと前記被曝放射線量情報を共有又は授受する。
【発明の効果】
【００１４】
以上説明したように、発明１の被曝放射線量情報管理システムによれば、個人の放射線被曝の時間的推移をその要因別に継続的に記録し、被爆管理の目的に応じて円滑に放射線量の評価を実施することができるという効果が得られる。
【図面の簡単な説明】
【００１５】
【図１】被曝放射線量情報管理システム１００を含む全体構成の概要を示す図である。
【図２】被曝放射線量情報を記録する場合の被曝放射線量情報管理システム１００の動作を示すフローチャートである。
【図３】被曝放射線量情報を管理する場合の被曝放射線量情報管理システム１００の動作を示すフローチャートである。
【発明を実施するための形態】
【００１６】
以下、本発明の実施の形態を説明する。
まず、本実施の形態に係る被曝放射線量情報管理システムの構成を説明する。
【００１７】
図１は、被曝放射線量情報管理システム１００を含む全体構成の概要を示す図である。
被曝放射線量評価対象者２００は、図１に示すように、個人線量計２０２をストラップ等で首から提げ、常時携行している。ここで、被曝放射線量評価対象者２００は、狭義には放射能汚染の可能性のある地域又は施設に居住又は滞在した者を指す。被曝放射線量評価対象者２００が後述の識別カード等を所持することにより、差別等を受けるおそれがある。差別等を受けないように、また、対照群として機能するように、放射能汚染の可能性のない地域の住民も対象者に含めてもよい。個人線量計２０２は、個人線量計２０２が受けた放射線量を測定するものであって、被曝放射線量評価対象者２００が密着携行していることから、個人線量計２０２で測定した放射線量は、被曝放射線量評価対象者２００が被曝した被曝放射線量と同等であるとみなすことができる。個人線量計２０２は、受けた放射線量を測定し記録することができればどのような方式・構造のものであってもよく、例えば、公知の個人線量計を採用することができる。
【００１８】
個人線量計２０２は、受けた放射線量を測定する測定部と、測定部で測定した放射線量を示す放射線量情報を記憶する記憶部とを有して構成されている。記憶部は、原子力発電所の事故（例えば、２０１１年の福島第一原子力発電所の事故）に起因して被曝した被曝放射線量（２０１１年３月１１日以前から存在する自然放射線による被曝放射線量を含む。）を示す原発事故被曝放射線量情報を記憶する第１記憶領域と、職業的放射線被曝による被曝放射線量を示す職業的被曝放射線量情報を記憶する第２記憶領域と、医療被曝による被曝放射線量を示す医療被曝放射線量情報を記憶する第３記憶領域とを有している。本願では、２０１１年３月１１日以前から存在する自然放射線による被曝放射線量を含んだ測定値のまま扱って記載する。２０１１年３月１１日以前から存在する自然放射線による被曝放射線量を含めて、原発事故被曝放射線量と、職業的被曝放射線量と、医療被曝放射線量は、測定している。ただし、測定した値から、２０１１年３月１１日以前から存在する自然放射線による被曝放射線量を差し引いてから管理することも、本発明の技術的範囲である。自然放射線とは、宇宙から飛来する放射線又は大地や大気に含まれる放射性物質から飛来する放射線など、人間の活動がなくても、自然界にもともと存在している放射線をいう。自然放射線による被曝放射線量は、日本では１年間に約１[mSv]で程度であることが知られている。また、職業的放射線被曝を受ける者としては、例えば、原子力発電所での作業従事者、パイロット、放射線を使う研究者、放射線が発生する施設の研究者、放射線診療従事者（例えば、エックス線装置、診療用高エネルギー放射線発生装置、診療用粒子線照射装置、診療用放射線照射装置、診療用放射線照射器具、放射性同位元素装備診療機器、診療用放射性同位元素又は陽電子断層撮影診療用放射性同位元素の取扱い、管理又はこれに付随する業務に従事する者）等が挙げられる。また、医療被曝を受ける者としては、例えば、自分自身の病気を治すためにやむを得ず放射線医療機器からの放射線を受ける患者であり、例えば、放射線診療における代表的なエックス線検査での被曝放射線量は、胸部レントゲンが０．０４[mSv]、腹部レントゲンが１．２[mSv]、上部消化管レントゲンが８．７[mSv]、胸部ＣＴが７．８[mSv]、腹部ＣＴが７．６[mSv]である。個人線量計２０２は、通常時は、測定部で測定した放射線量を示す放射線量情報を原発事故被曝放射線量情報として記憶部の第１記憶領域に記録する。
【００１９】
原発事故被曝放射線量情報、職業的被曝放射線量情報及び医療被曝放射線量情報（以下、これらを総称して「被曝放射線量情報」という。）は、基本的には、居住又は滞在したことのある地域又は施設で測定された被曝放射線量と、それらの地域又は施設に居住又は滞在した期間を含み、可能であれば、内部被曝、外部被曝等のより詳細な情報を含む。さらに、そのような詳細な時系列のデータに加え、又は、そのようなデータに代えてガラス線量計等の累積被曝量をデータとして保持してもよい。作業ごとに、みなし被曝放射線量を決めて、それを用いてもよい。医療被曝については、Ｘ線撮影、ＣＴ撮影、放射線治療等ごとに被曝放射線量を定めて、それを用いてもよい。
【００２０】
放射性物質や放射線を取り扱っている職場（例えば、原子力発電所の放射線管理区域又は敷地内）２２０のゲートには、入出センサ２２２、２２４が設けられている。入出センサ２２２は、個人線量計２０２を携行した被曝放射線量評価対象者２００が職場２２０に入場しようとするときは、職場２２０に入場することを示す入場情報を個人線量計２０２に送信し、個人線量計２０２から入場情報の受信完了通知を受信すると、ゲートを開放して被曝放射線量評価対象者２００の入場を許可する。一方、入出センサ２２２は、個人線量計２０２を携行した被曝放射線量評価対象者２００が職場２２０から退場しようとするときは、職場２２０から退場することを示す退場情報を個人線量計２０２に送信し、個人線量計２０２から退場情報の受信完了通知を受信すると、ゲートを開放して被曝放射線量評価対象者２００の退場を許可する。個人線量計２０２は、入出センサ２２２から入場情報を受信したときは、入場情報の受信完了通知を入出センサ２２２に送信し、それ以降入出力センサ２２２から退場情報を受信するまで、測定部で測定した放射線量を示す放射線量情報を職業的被曝放射線量情報として記憶部の第２記憶領域に記録する。個人線量計２０２は、入出センサ２２２から退場情報を受信したときは、退場情報の受信完了通知を入出センサ２２２に送信し、通常どおり、測定部で測定した放射線量を示す放射線量情報を職業的被曝放射線量情報として記憶部の第２記憶領域に記録する。
【００２１】
入出力センサ２２４については、入出力センサ２２２と基本的な構成及び動作は同様である。個人線量計２０２は、入出力センサ２２４から入場情報を受信したときは、入場情報の受信完了通知を入出センサ２２４に送信し、それ以降入出力センサ２２４から退場情報を受信するまで、入出力センサ２２２が設けられているゲートよりも内側で且つ入出力センサ２２４が設けられているゲートよりも外側の区域（以下、第１職場区域という。）で記録した職業的被曝放射線量情報（以下、第１職業的被曝放射線量情報という。）と区別して、測定部で測定した放射線量を示す放射線量情報を職業的被曝放射線量情報として記憶部の第２記憶領域に記録する。個人線量計２０２は、入出力センサ２２４から退場情報を受信したときは、退場情報の受信完了通知を入出センサ２２４に送信し、測定部で測定した放射線量を示す放射線量情報を職業的被曝放射線量情報として記憶部の第２記憶領域に記録する。
【００２２】
なお、職業的被曝放射線量情報は、第１職業的被曝放射線量情報だけとしてもよいし、入出力センサ２２４が設けられているゲートよりも内側の区域（以下、第２職場区域）で記録した職業的被曝放射線量情報（以下、第２職業的被曝放射線量情報という。）だけとしてもよいし、第１職業的被曝放射線量情報及び第２職業的被曝放射線量情報としてもよい。第１職業的被曝放射線量情報及び第２職業的被曝放射線量情報を記録する場合、本実施の形態のように第１職業的被曝放射線量情報及び第２職業的被曝放射線量情報を区別して記録してもよいが、第１職業的被曝放射線量情報及び第２職業的被曝放射線量情報をまとめて記録してもよい。
【００２３】
医療施設（例えば、病院）２４０には、レントゲンやＣＴ等の放射線医療機器２４２と、放射線医療機器２４２で医療被曝による被曝放射線量を算出する医療用ＰＣ２４４と、医療用ＰＣ２４４で算出した被曝放射線量を示す被曝放射線量情報を医療被曝放射線量情報として個人線量計２０２に書き込むライタ２４６とを有して構成されている。被曝放射線量評価対象者２００は、放射線医療を受けるときは、個人線量計２０２を外しておき、放射線医療が終了した後に、ライタ２４６に個人線量計２０２を近接させる。個人線量計２０２は、ライタ２４６との距離が所定以下となったときは、ライタ２４６との近距離無線通信によりライタ２４６を介して医療被曝放射線量情報を医療用ＰＣ２４４から取得し、取得した医療被曝放射線量情報を記憶部の第３記憶領域に記録する。
【００２４】
被曝放射線量情報管理システム１００は、被曝放射線量情報を記憶する記憶部１０２と、被曝放射線量評価対象者２００を一意に特定するための個人識別情報を入力する個人識別情報入力部１０４と、近距離無線通信により被曝放射線量情報を個人線量計２０２から読み込むリーダ１０６と、リーダ１０６を介して原発事故被曝放射線量情報を個人線量計２０２から取得する原発事故被曝放射線量情報取得部１０８と、リーダ１０６を介して職業的被曝放射線量情報を個人線量計２０２から取得する職業的被曝放射線量情報取得部１１０と、リーダ１０６を介して医療被曝放射線量情報を個人線量計２０２から取得する医療被曝放射線量情報取得部１１２とを有して構成されている。
【００２５】
被曝放射線量情報管理システム１００は、さらに、原発事故被曝放射線量情報取得部１０８で取得した原発事故被曝放射線量情報、職業的被曝放射線量情報取得部１１０で取得した職業的被曝放射線量情報及び医療被曝放射線量情報取得部１１２で取得した医療被曝放射線量情報を、個人識別情報入力部１０４で入力した個人識別情報と対応づけて記憶部１０２に記録する被曝放射線量情報記録部１１４と、記憶部１０２の被曝放射線量情報を管理する管理部１１６と、管理部１１６の制御により表示を行う表示部１１８とを有して構成されている。
【００２６】
個人線量計２０２は、リーダ１０６との距離が所定以下となったときは、原発事故被曝放射線量情報を記憶部の第１記憶領域から読み出し、リーダ１０６との近距離無線通信により、読み出した原発事故被曝放射線量情報を送信する。原発事故被曝放射線量情報は、リーダ１０６を介して原発事故被曝放射線量情報取得部１０８により取得される。
【００２７】
個人線量計２０２は、リーダ１０６との距離が所定以下となったときは、職業的被曝放射線量情報を記憶部の第２記憶領域から読み出し、リーダ１０６との近距離無線通信により、読み出した職業的被曝放射線量情報を送信する。職業的被曝放射線量情報は、リーダ１０６を介して職業的被曝放射線量情報取得部１１０により取得される。
【００２８】
個人線量計２０２は、リーダ１０６との距離が所定以下となったときは、医療被曝放射線量情報を記憶部の第３記憶領域から読み出し、リーダ１０６との近距離無線通信により、読み出した医療被曝放射線量情報を送信する。医療被曝放射線量情報は、リーダ１０６を介して医療被曝放射線量情報取得部１１２により取得される。
【００２９】
被曝放射線量情報管理システム１００は、例えば、ＣＰＵ（Central Processing Unit）、ＲＯＭ（Read Only Memory）、ＲＡＭ（Random Access Memory）及びＩ／Ｆ等をバス接続した一般的なコンピュータと同一機能を有して構成されている。原発事故被曝放射線量情報取得部１０８、職業的被曝放射線量情報取得部１１０、医療被曝放射線量情報取得部１１２、被曝放射線量情報記録部１１４及び管理部１１６は、ＣＰＵ及びＣＰＵが実行する処理として構成される。Ｉ／Ｆには、記憶部１０２、個人識別情報入力部１０４、リーダ１０６、表示部１１８及びインターネット等のネットワーク（不図示）に接続するための信号線が接続されている。被曝放射線量情報管理システム１００は、例えば、公的機関や独立行政法人、営利法人、ＮＰＯ法人等に設けられている。但し、物理的にそれらの機関・組織に帰属する必要はない。
【００３０】
記憶部１０２は、基本的には電子的又は磁気的媒体への記録手段による記録を行うものであり、被曝放射線量評価対象者２００ごとに一意に定められた個人識別情報をキーとして記録するデータベースである。このデータベースは、好ましくは複数設けられ、多重化されていることが好ましい。
【００３１】
次に、本実施の形態の動作を説明する。
まず、被曝放射線量情報を記録する場合の動作を説明する。
【００３２】
図２は、被曝放射線量情報を記録する場合の被曝放射線量情報管理システム１００の動作を示すフローチャートである。
【００３３】
被曝放射線量情報管理システム１００では、図２に示すように、ステップＳ１００に移行して、個人識別情報入力部１０４が、被曝放射線量評価対象者２００の所持する識別カードに記載されている個人識別情報を入力し、ステップＳ１０２に移行する。
【００３４】
ステップＳ１０２では、被曝放射線量評価対象者２００の所持する個人線量計２０２をリーダ１０６に近接させると、個人線量計２０２と近距離無線通信が可能となるので、ステップＳ１０４に移行する。
【００３５】
ステップＳ１０４では、原発事故被曝放射線量情報取得部１０８が、リーダ１０６を介して原発事故被曝放射線量情報を個人線量計２０２から取得し、ステップＳ１０６に移行する。
【００３６】
ステップＳ１０６では、職業的被曝放射線量情報取得部１１０が、リーダ１０６を介して職業的被曝放射線量情報を個人線量計２０２から取得し、ステップＳ１０８に移行する。
【００３７】
ステップＳ１０８では、医療被曝放射線量情報取得部１１２が、リーダ１０６を介して医療被曝放射線量情報を個人線量計２０２から取得し、ステップＳ１０９に移行する。
【００３８】
ステップＳ１０９では、被曝放射線量情報記録部１１４が、ステップＳ１０４〜Ｓ１０８で取得した原発事故被曝放射線量情報、職業的被曝放射線量情報及び医療被曝放射線量情報を、ステップＳ１００で入力した個人識別情報と対応づけて記憶部１０２に記録し、ステップＳ１１０に移行する。
【００３９】
ステップＳ１１０では、取得した原発事故被曝放射線量情報に基づいて原発事故被曝放射線量が第１被曝管理基準値（例えば、ｘｘ[mSv]）以上であるか否かを判定し、原発事故被曝放射線量が第１被曝管理基準値未満であると判定したとき(NO)は、ステップＳ１１２に移行する。
【００４０】
ステップＳ１１２では、取得した職業的被曝放射線量情報に基づいて職業的被曝放射線量が第２被曝管理基準値（例えば、ｘｘ[mSv]）以上であるか否かを判定し、職業的被曝放射線量が第２被曝管理基準値未満であると判定したとき(NO)は、ステップＳ１１４に移行する。
【００４１】
ステップＳ１１４では、取得した医療被曝放射線量情報に基づいて医療被曝放射線量が第３被曝管理基準値（例えば、ｘｘ[mSv]）以上であるか否かを判定し、医療被曝放射線量が第３被曝管理基準値未満であると判定したとき(NO)は、一連の処理を終了する。
【００４２】
一方、ステップＳ１１４で、医療被曝放射線量が第３被曝管理基準値以上であると判定したとき(YES)は、ステップＳ１１８に移行して、医療被曝放射線量が異常値である旨の警告を表示部１１８に表示し、一連の処理を終了する。
【００４３】
一方、ステップＳ１１２で、職業的被曝放射線量が第２被曝管理基準値以上であると判定したとき(YES)は、ステップＳ１２０に移行して、職業的被曝放射線量が異常値である旨の警告を表示部１１８に表示し、一連の処理を終了する。
【００４４】
一方、ステップＳ１１０で、原発事故被曝放射線量が第１被曝管理基準値以上であると判定したとき(YES)は、ステップＳ１２２に移行して、原発事故被曝放射線量が異常値である旨の警告を表示部１１８に表示し、一連の処理を終了する。
【００４５】
次に、被曝放射線量情報を管理する場合の動作を説明する。
図３は、被曝放射線量情報を管理する場合の被曝放射線量情報管理システム１００の動作を示すフローチャートである。
【００４６】
被曝放射線量情報管理システム１００では、図３に示すように、ステップＳ２００に移行して、個人識別情報入力部１０４が、被曝放射線量評価対象者２００の所持する識別カードに記載されている個人識別情報を入力し、ステップＳ２０２に移行する。
【００４７】
ステップＳ２０２では、被曝放射線量を集計する対象期間を入力し、ステップＳ２０４に移行する。
【００４８】
ステップＳ２０４では、管理部１１６が、ステップＳ２００で入力した個人識別情報に対応する原発事故被曝放射線量情報のうち、ステップＳ２０２で入力した対象期間に測定された原発事故被曝放射線量に係るものを記憶部１０２から読み出し、ステップＳ２０６に移行する。
【００４９】
ステップＳ２０６では、管理部１１６が、ステップＳ２０４で読み出した原発事故被曝放射線量情報に基づいて、ステップＳ２０２で入力した対象期間における原発事故被曝放射線量の累計値を算出し、ステップＳ２０８に移行する。
【００５０】
ステップＳ２０８では、管理部１１６が、ステップＳ２０６で算出した原発事故被曝放射線量の累計値が第４被曝管理基準値（例えば、ｘｘ[mSv]）以上であるか否かを判定し、原発事故被曝放射線量の累計値が第４被曝管理基準値以上であると判定したとき(NO)は、ステップＳ２１０に移行する。
【００５１】
ステップＳ２１０では、管理部１１６が、原発事故被曝放射線量の累計値が異常値である旨の警告を表示部１１８に表示し、ステップＳ２１２に移行する。
【００５２】
ステップＳ２１２では、管理部１１６が、ステップＳ２００で入力した個人識別情報に対応する職業的被曝放射線量情報のうち、ステップＳ２０２で入力した対象期間に測定された職業的被曝放射線量に係るものを記憶部１０２から読み出し、ステップＳ２１４に移行する。
【００５３】
ステップＳ２１４では、管理部１１６が、ステップＳ２１２で読み出した職業的被曝放射線量情報に基づいて、ステップＳ２０２で入力した対象期間における職業的被曝放射線量の累計値を算出し、ステップＳ２１６に移行する。
【００５４】
ステップＳ２１６では、管理部１１６が、ステップＳ２１４で算出した職業的被曝放射線量の累計値が第５被曝管理基準値（例えば、ｘｘ[mSv]）以上であるか否かを判定し、職業的被曝放射線量の累計値が第５被曝管理基準値以上であると判定したとき(NO)は、ステップＳ２１８に移行する。
【００５５】
ステップＳ２１８では、管理部１１６が、職業的被曝放射線量の累計値が異常値である旨の警告を表示部１１８に表示し、ステップＳ２２０に移行する。
【００５６】
ステップＳ２２０では、管理部１１６が、ステップＳ２００で入力した個人識別情報に対応する医療被曝放射線量情報のうち、ステップＳ２０２で入力した対象期間に測定された医療被曝放射線量に係るものを記憶部１０２から読み出し、ステップＳ２２２に移行する。
【００５７】
ステップＳ２２２では、管理部１１６が、ステップＳ２２０で読み出した医療被曝放射線量情報に基づいて、ステップＳ２０２で入力した対象期間における医療被曝放射線量の累計値を算出し、ステップＳ２２４に移行する。
【００５８】
ステップＳ２２４では、管理部１１６が、ステップＳ２２２で算出した医療被曝放射線量の累計値が第６被曝管理基準値（例えば、ｘｘ[mSv]）以上であるか否かを判定し、医療被曝放射線量の累計値が第６被曝管理基準値以上であると判定したとき(NO)は、ステップＳ２２６に移行する。
【００５９】
ステップＳ２２６では、管理部１１６が、医療被曝放射線量の累計値が異常値である旨の警告を表示部１１８に表示し、ステップＳ２２８に移行する。
【００６０】
ステップＳ２２８では、管理部１１６が、ステップＳ２０４、Ｓ２１２、Ｓ２２０で読み出した被曝放射線量情報に基づいて、ステップＳ２０２で入力した対象期間における総被曝放射線量を算出し、ステップＳ２３０に移行する。
【００６１】
ステップＳ２３０では、管理部１１６が、ステップＳ２２８で算出した総被曝放射線量が第７被曝管理基準値（例えば、ｘｘ[mSv]）以上であるか否かを判定し、総被曝放射線量が第７被曝管理基準値以上であると判定したとき(NO)は、ステップＳ２３２に移行する。
【００６２】
ステップＳ２３２では、管理部１１６が、総被曝放射線量が異常値である旨の警告を表示部１１８に表示し、ステップＳ２３４に移行する。
【００６３】
ステップＳ２３４では、管理部１１６が、ステップＳ２０６で算出した原発事故被曝放射線量の累計値を表示部１１８に表示し、ステップＳ２３６に移行する。
【００６４】
ステップＳ２３６では、管理部１１６が、ステップＳ２１４で算出した職業的被曝放射線量の累計値を表示部１１８に表示し、ステップＳ２３８に移行する。
【００６５】
ステップＳ２３８では、管理部１１６が、ステップＳ２２２で算出した医療被曝放射線量の累計値を表示部１１８に表示し、ステップＳ２４０に移行する。
【００６６】
ステップＳ２４０では、管理部１１６が、ステップＳ２２８で算出した総被曝放射線量を表示部１１８に表示し、一連の処理を終了する。
【００６７】
一方、ステップＳ２３０で、総被曝放射線量が第７被曝管理基準値未満であると判定したとき(NO)は、ステップＳ２３４に移行する。
【００６８】
一方、ステップＳ２２４で、医療被曝放射線量の累計値が第６被曝管理基準値未満であると判定したとき(NO)は、ステップＳ２２８に移行する。
【００６９】
一方、ステップＳ２１６で、職業的被曝放射線量の累計値が第５被曝管理基準値未満であると判定したとき(NO)は、ステップＳ２２０に移行する。
【００７０】
一方、ステップＳ２０８で、原発事故被曝放射線量の累計値が第４被曝管理基準値未満であると判定したとき(NO)は、ステップＳ２１２に移行する。
【００７１】
このようにして、本実施の形態では、原発事故被曝放射線量情報、職業的被曝放射線量情報及び医療被曝放射線量情報を個人識別情報と対応づけて記憶部１０２に記録する。
【００７２】
これにより、個人の放射線被曝の時間的推移をその要因別に継続的に記録し、被爆管理の目的に応じて円滑に放射線量の評価を実施することができる。
【００７３】
本実施の形態において、記憶部１０２は、発明１、４又は５の記憶手段に対応し、被曝放射線量情報記録部１１４は、発明１の被曝放射線量情報記録手段に対応し、個人識別情報は、発明２の識別情報に対応している。
【００７４】
なお、上記実施の形態においては、医療被曝放射線量情報を個人線量計２０２に記録し、被曝放射線量情報管理システム１００は、医療被曝放射線量情報を個人線量計２０２から取得するように構成したが、これに限らず、被曝放射線量情報管理システム１００と医療用ＰＣ２４４とをネットワークで接続し、被曝放射線量情報管理システム１００は、医療被曝放射線量情報を医療用ＰＣ２４４から取得するように構成することもできる。
【００７５】
この構成の場合、被曝放射線量情報管理システム１００は、ネットワークを介して医療被曝放射線量情報を医療用ＰＣ２４４から取得する医療被曝放射線量情報取得部を有して構成されている。医療被曝放射線量情報取得部は、被曝放射線量評価対象者２００に対し医療被曝を伴う処置を施した医療施設２４０からの医療被曝放射線量情報の形態に応じて、被曝放射線量情報管理システム１００を構成するコンピュータの送受信部又は入出力部である。
【００７６】
すなわち、医療被曝放射線量情報は、好ましくは、通信回線網、インターネットを介して医療用ＰＣ２４４から直接、前記送受信部に送信されるが、例えば、医療被曝放射線量を算出できる保険点数請求情報等として又はその他の紙ベースの書類として所定の機関に送られ、それらの機関から送信又は回付されたデータが入力されるものでもよい。また、これらの１以上の複数の経路を介して記録されてもよい。複数の経路を介して記録された場合でも、本発明では、長期的な被曝放射線量評価を目的とするので、被曝放射線量評価の段階でデータを整除することにより、レコードの重複は回避される。
【００７７】
医療用ＰＣ２４４から直接、前記送受信部に送信される場合は、所定のメールアドレスへの送信でもよいし、適当なウエブサイト等に入力フォームを設け、そこに直接入力されるものでもよい。こうした通信は、医療用ＰＣ２４４のように医療施設２４０で一般に用いられている端末によるものでもよいし、医療被曝をもたらす機器に内蔵されたものでもよい。
【００７８】
医療被曝放射線量情報は、少なくとも、被曝放射線量評価対象者２００を特定するために必要な情報、医療被曝の日時及び被曝放射線量を含む。前述のレコードの重複が生じた場合でも、これらのデータがすべて同一である場合は、同一の医療被曝事象として最終的にはデータが整除される。
【００７９】
被曝放射線量評価対象者２００を特定するために必要な情報は、被曝放射線量評価対象者２００の所持する識別カード又は被曝放射線量評価対象者２００に割り当てられた識別情報である。これは、例えば、健康保険証番号、パスポート番号、（将来的に制度が構築された場合は）納税者番号、社会保険番号、”社会保障と税の共通番号”等でもよいが、個人情報の保護の観点からは、好ましくは、被曝放射線量情報管理システム１００の固有の情報である。この目的のためには、被曝放射線量評価対象者２００の登録制度を設け、登録申請に応じて一意に情報を付与する。
【００８０】
被曝放射線量情報管理システム１００の信頼度を高めるためには、なるべく多くの人数が登録されることが好ましいが、そのためには、被曝放射線量情報管理システム１００に参加することにより、一定の報償が付与されることが好ましい。報償は、例えば、医療被曝放射線量情報の提供者（病院など）に対し、被曝放射線量評価対象者２００、国又は被曝放射線量情報管理システムの運用者が付与する。このためには、本人確認がなされた場合における被曝放射線量の開示、無料若しくは低額での医療相談、医療費や検査費の割引、又は年金制度の優遇若しくは冷遇等が受けるようなインセンティブを付与することが好ましい。年金については、例えば、参加の報償として年金額を増加し、逆に非参加のペナルティとして年金額を減額する。また、医療施設２４０による医療被曝放射線量情報の提供は法的に義務づけることが好ましいが、これについても、何らかのインセンティブを付与する仕組みとしてもよい。
【００８１】
また、上記実施の形態及びその変形例においては、原発事故被曝放射線量情報及び職業的被曝放射線量情報を個人線量計２０２に区別して記録したが、これに限らず、個人線量計２０２は、測定部で測定した放射線量を示す放射線量情報を、その測定時刻を示す測定時刻情報と対応づけて記憶部に記録する構成としておき、被曝放射線量情報管理システム１００と入出センサ２２２とをネットワークで接続し、被曝放射線量情報管理システム１００を次のように構成することもできる。
【００８２】
この構成の場合、被曝放射線量情報管理システム１００は、入出センサ２２２から入場情報を受信したときは、入場履歴情報を記憶部１０２に記録する。入場履歴情報は、受信した入場情報に係る入場時刻を示す入場時刻情報、及び受信した入場情報に係る被曝放射線量評価対象者２００の個人識別情報を含む。また、入出センサ２２２から退場情報を受信したときは、退場履歴情報を記憶部１０２に記録する。退場履歴情報は、受信した退場情報に係る退場時刻を示す退場時刻情報、及び受信した退場情報に係る被曝放射線量評価対象者２００の個人識別情報を含む。
【００８３】
被曝放射線量情報を記録する場合は、医療被曝放射線量情報を除く被曝放射線量情報及び測定時刻情報を個人線量計２０２から取得する。そして、取得した被曝放射線量情報及び測定時刻情報、並びに記憶部１０２の入場履歴情報及び退場履歴情報に基づいて、職場２２０に入場していなかった期間に測定された被曝放射線量を算出し、算出した被曝放射線量を示す被曝放射線量情報を原発事故被曝放射線量情報として取得する。また、取得した被曝放射線量情報及び測定時刻情報、並びに記憶部１０２の入場履歴情報及び退場履歴情報に基づいて、職場２２０に入場していた期間に測定された被曝放射線量を算出し、算出した被曝放射線量を示す被曝放射線量情報を職業的被曝放射線量情報として取得する。
【００８４】
また、上記実施の形態及びその変形例においては、被曝放射線量情報管理システム１００において、原発事故被曝放射線量情報、職業的被曝放射線量情報及び医療被曝放射線量情報をひとまとめに対応づけて記録したが、これに限らず、他のデータベースと被曝放射線量情報を共有又は授受するように構成することもできる。
【００８５】
例えば、原発事故被曝放射線量情報及び職業的被曝放射線量情報を個人識別情報と対応づけて記録する被曝放射線量情報管理システムと、医療被曝放射線量情報を個人識別情報と対応づけて記録する医療管理システムとをネットワークで接続し、被曝放射線量情報管理システムは、他のデータベースとして医療管理システムと被曝放射線量情報を共有又は授受する。このように、原発事故被曝放射線量情報、職業的被曝放射線量情報及び医療被曝放射線量情報を対応づけることも本発明の技術的範囲である。
【００８６】
また、上記実施の形態及びその変形例において、個人線量計２０２は、近距離無線通信により被曝放射線量情報を送受信するように構成したが、これに限らず、有線通信により被曝放射線量情報を送受信するように構成することもできる。
【００８７】
また、上記実施の形態及びその変形例において、個人線量計２０２は、記憶部の記憶領域を分けて被曝放射線量情報を記録するように構成したが、これに限らず、記憶領域を分けず、例えば、被曝放射線量情報の種別を識別するための識別情報を付加して原発事故被曝放射線量情報、職業的被曝放射線量情報及び医療被曝放射線量情報を記録するように構成することもできる。例えば、このうち原発事故被曝放射線量情報の識別情報としては、原発事故被曝放射線量情報に対応するビットを”１”にセットすることにより付加することができる。職業的被曝放射線量情報及び医療被曝放射線量情報についても同様である。
【００８８】
また、上記実施の形態及びその変形例において、ステップＳ２０６、Ｓ２１４、Ｓ２２２で被曝放射線量の累計値を毎回算出するように構成したが、これに限らず、例えば、個人線量計２０２の被曝放射線量情報を生データとして記録するだけに止め、所定年月が経過した後（例えば５０年後）に被曝放射線量の累計値を算出するように構成することもできる。
【００８９】
また、上記実施の形態及びその変形例において、ステップＳ１１０〜Ｓ１２２の処理を設けたが、これに限らず、同処理を設けず、被曝放射線量情報を単に記録するだけの処理として構成することもできる。
【００９０】
また、上記実施の形態及びその変形例において、図２のフローチャートの動作では、各被曝放射線量（原発事故被曝放射線量、職業的被曝放射線量及び医療被曝放射線量）が被曝管理基準値以上であると判定したときは、警告を表示するように構成したが、これに限らず、原発事故被曝放射線量、職業的被曝放射線量及び医療被曝放射線量の合計である総被曝放射線量を算出し、総被曝放射線量が所定の被曝管理基準値以上であると判定したときは、警告を表示するように構成することもできる。
【００９１】
また、上記実施の形態及びその変形例において、職場２２０において職業的被曝放射線量を測定するように構成したが、これに限らず、警戒区域、計画的避難区域及び緊急時避難準備区域等において原発事故被曝放射線量又は職業的被曝放射線量を測定するように構成することもできる。すなわち、警戒区域、計画的避難区域及び緊急時避難準備区域に住民として入ったときは、当該区域において測定した放射線量を原発事故被曝放射線量として測定し、仕事で入ったときは、当該区域において測定した放射線量を職業的被曝放射線量として測定する。また、将来新設される区域についても同様である。例えば、帰還困難区域、居住制限区域及び避難指示解除準備区域に住民として入ったときは、当該区域において測定した放射線量を原発事故被曝放射線量として測定し、仕事で入ったときは、当該区域において測定した放射線量を職業的被曝放射線量として測定する。
【符号の説明】
【００９２】
１００…被曝放射線量情報管理システム、  １０２…記憶部、  １０４…個人識別情報入力部、  １０６…リーダ、  １０８…原発事故被曝放射線量情報取得部、  １１０…職業的被曝放射線量情報取得部、  １１２…医療被曝放射線量情報取得部、  １１４…被曝放射線量情報記録部、  １１６…管理部、  １１８…表示部、  ２００…被曝放射線量評価対象者、  ２０２…個人線量計、  ２２０…職場、  ２２２…入出センサ、  ２４０…医療施設、  ２４２…放射線医療機器、  ２４４…医療用ＰＣ、  ２４６…ライタ
【図１】
2018037120.tif 000003
【図２】
2018037120.tif 000004
【図３】
2018037120.tif 000005